(57)【特許請求の範囲】
【請求項１】
一般式Ｉ：
0004020961.tif 000024
［式中、Ｒ1及びＲ3は、相互に無関係に６〜２２個の炭素原子を有する炭化水素基を表し、
Ｒ2は、スペーサーＳ．１又はＳ．２を表し、
Ｓ．１）酸素原子０〜２０個を有していてもよい、基本部として、式ＩＩ：
0004020961.tif 000025
［ａ＝２〜６］の非分枝又は分枝アルキレン鎖を有するか、又は
Ｓ．２）式Ｘ：
0004020961.tif 000026
［ｍ＝１〜４、ｎ＝２〜４、ｐ＝１〜４かつｑ＝１〜４、
その際、混合アルコキシド単位も現れてよく、アルコキシド単位の順序も、任意である］、かつ
Ｘ及びＹは、
ａ）相互に無関係に、式ＸＶＩ：
0004020961.tif 000027
［α＝０〜３０、
β＝０〜４０、
α＋β＝１０〜５０］の置換基を表し、その際、アルコキシド単位は、統計的に、又はブロックで組み込まれており、かつ順序は任意であるか、又は
ｂ）相互に無関係に、式ＸＶＩＩ：
0004020961.tif 000028
［γ＝０〜２０、
δ＝０〜２０、
かつγ＋δ＝０〜４０、
その際、ＦＲは、官能基：−ＣＨ2−ＣＯＯＭ、−ＳＯ3Ｍ、−Ｐ（Ｏ）（ＯＭ）2
（Ｍ＝アルカリ、アンモニウム、アルカノールアンモニウム又はアルカリ土類）である］の置換基を表す］の両親媒性化合物。
【請求項２】
Ｘ及びＹが、相互に無関係に、式ＸＶＩＩ：
0004020961.tif 000029
［γ＝０かつδ＝０］の置換基を表す、請求項１に記載の両親媒性化合物。
【請求項３】
Ｘ及びＹが、式ＸＶＩＩ：
0004020961.tif 000030
［γ＝０〜２０、
δ＝０〜２０、
かつγ＋δ＝１〜４０］の置換基を表す、請求項１に記載の両親媒性化合物。
【請求項４】
ＦＲが−ＳＯ3Ｍを表す、請求項２又は３に記載の両親媒性化合物。
【請求項５】
スペーサーＲ2が、基本部として、式ＩＩ：
0004020961.tif 000031
［ａ＝２〜６］の非分枝又は分枝アルキレン鎖を有する、請求項１から３のいずれかに記載の両親媒性化合物。
【請求項６】
乳化剤又は解乳化剤としての、請求項１に記載の両親媒性化合物の使用。
【請求項７】
金属処理、鉱石取得又は表面仕上げの際の助剤としての請求項１に記載の両親媒性化合物の使用。
【請求項８】
テキスタイル助剤又はテキスタイルの洗浄及び洗濯のための請求項１に記載の両親媒性化合物の使用。
【請求項９】
硬質表面の洗浄のための請求項１に記載の両親媒性化合物の使用。
【請求項１０】
皮膚及び毛髪の清浄及び洗浄のための請求項１に記載の両親媒性化合物の使用。
【発明の詳細な説明】
本発明は、ジオールエーテル、オリゴオールエーテル又はポリオールエーテルをベースとする少なくとも２個の親水基及び少なくとも２個の疎水基を有する両親媒性化合物に関する。
両親媒性物質として、非常に多種のアニオン性、カチオン性、非イオン性及び両性イオン性化合物が公知である。これらの物質の非常に多くが、１個の親水頭部基及び少なくとも１個の疎水部からなる。
両親媒性物質では、生態学的な理由から、例えば、包装費用及び輸送費用の低減に関して、使用される物質の量当たり、更により高い効果を達成する必要性がある。両親媒性物質の混合による最適化は、非常に限定的にしか続かないので、より高い作用度を有する新規の両親媒性物質が求められている。従って、作用物質の使用量をかなり減らすことができるように、殊に、より低い臨界ミセル形成濃度を有し、かつ／又はより低い表面−及び界面張力を有する物質が、発見されるべきである。
構造の一部（親水頭部基、疎水基）を二倍にする方向での第一の解決の糸口は、既に公知である。例えば、カチオン界面活性化合物を、長鎖アルキルハロゲン化物を過メチル化されたアルキレンジアミンに添加することにより得ることができる［R.Zana, M.Benrraou, R．Rueff，Langmuir，7(1991) 1072; R.Zana, Y.Talmon, Nature, 362(1993)228; E.Alami, G.Beinert, P. Marie, R.Zana, Langmuir, 9(1993)1465］。
少なくとも２個の親水基及び少なくとも２個の疎水基を有するアニオン界面活性化合物は、従来、ジグリシジルエーテルをベースとしてのみ製造されてきた（米国特許（ＵＳ）第５１６０４５０号明細書、特開平（ＪＰ）０１−３０４０３３号公報、特開平０４−１２４１６５号公報）。しかし、ジグリシジルエーテルは、毒物学的に危険であり、かつかなり高価である。更に、その製造のためにエピクロルヒドリンを使用するが、これは、大量の残留物質をもたらすので、この化合物は、生態毒物学的、更に経済的観点からも、もはや時世にあっていない。
従って、使用量に対して非常に高い作用度を有し、更に、技術的に容易に入手可能な原料から、不所望な副産物が大量に生ずることなく製造することができる、少なくとも２個の親水基及び少なくとも２個の疎水基を有する両親媒性化合物を発見する課題があった。
この課題は、本発明で、ジ−、オリゴ−又はポリオールエーテル及びα−エポキシドからその基本構造が製造されうる両親媒性ジ−、オリゴ−又はポリエーテルにより解決される。例えば、前記の化合物を、三酸化イオウ／不活性ガス、オレウム、クロルスルホン酸又はアミドスルホン酸と、ポリリン酸と、ハロゲン酢酸と、スルトンと、タウリンと、又は無水マレイン酸及び亜硫酸水素ナトリウムと反応させ、それぞれ引き続き中和することより、相応するジ−、オリゴ−又はポリエーテルをアルコキシル化し、引き続き、又は直接、アニオン性両親媒性化合物に移行させることができる。
従って、本発明の両親媒性化合物とは、一般式Ｉ：
0004020961.tif 000002
［ここで、式Ｉ中のＲ1、Ｒ2、Ｒ3、Ｘ及びＹは、次に記載の意味を有し、かつ式Ｉ中のＲ1及びＲ3は、それぞれ１回現れる］の化合物である。
Ｒ1及びＲ3は、相互に無関係に、１〜２２個、有利に６〜１８個の炭素原子を有する非分枝又は分枝の飽和又は不飽和炭化水素基である。
置換基Ｒ1及びＲ3としては、個別には、基メチル、エチル、ｎ−プロピル、ｎ−ブチル、ｎ−ペンチル、ｎ−ヘキシル、ｎ−ヘプチル、ｎ−オクチル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシル、ｎ−エイコシル、ｎ−ウンエイコシル、ｎ−ドコシル及びそれらの分枝鎖異性体並びに相応する単、二又は三不飽和アルケンを挙げることができる。
Ｒ2は、０〜２０個の酸素原子、０〜２０個の窒素原子、０〜４個のイオウ原子及び０〜３個のリン原子を有し、かつ０〜２０個の官能性側基、例えば、ヒドロキシル基、カルボニル基、カルボキシル基、アミノ基及び／又はアシルアミノ基を有する、２〜１００個の炭素原子を有する非分枝又は分枝鎖からなるスペーサーを表す。
スペーサーＲ2は、殊に、
◆基本部として、非分枝又は分枝アルキレン鎖：
0004020961.tif 000003
［ａ＝２〜１８、有利に、ａ＝２〜６］；
◆基本部として、非分枝又は分枝アルケニレン鎖：
0004020961.tif 000004
［ｂ＋ｃ＝２〜１６、ｂ及びｃは、それぞれ０より大きい］；
◆基本部として、非分枝又は分枝アルキニレン鎖：
0004020961.tif 000005
［ｄ＋ｅ＝２〜１６、ｄ及びｅは、それぞれ０より大きく、かつ
式ＩＩ〜ＩＶの基本部では、スペーサーは、鎖の任意の位置に、相互に無関係に０〜４個のカルボニル−、カルボキシル−、アミノ−又はアシルアミノ基を有する］；
◆式Ｖ：
0004020961.tif 000006
［ｆ及びｇは、同様に相互に無関係に、それぞれ１〜６］又は式ＶＩ：
0004020961.tif 000007
の脂環式化合物；
◆式ＶＩＩ：
0004020961.tif 000008
又は式ＶＩＩＩ：
0004020961.tif 000009
［ｈ、ｊ、ｊ1及びｊ2は、同様に相互に無関係に、それぞれ０〜８、かつｉ＝０〜８、かつＲは、同じく相互に無関係に、それぞれＨ又はＣ1〜Ｃ6−アルキル］の場合により置換された芳香族化合物；
◆官能性側基を有する鎖、殊に、ヒドロキシル−、カルボニル−、カルボキシル−、アミノ−及び／又はアシルアミノ基
を表す。
更に、スペーサーＲ2は、それぞれ０〜２０、有利に１〜１２個の酸素−及び／又は窒素原子、０〜４個のイオウ−及び０〜３個のリン原子を有し、その際、ヘテロ原子少なくとも１個が、少なくとも１回現れる。
従って、Ｒ2は、更に、殊に、
◆式ＩＸ：
0004020961.tif 000010
［ｋ及びｌは、同じく相互に無関係にそれぞれ、０〜８、ｘ＝６及びｙ＝４又はｘ＝１０及びｙ＝６又はｘ＝１４及びｙ＝８、かつＺ−Ｏ、ＣＯ、ＮＨ、Ｎ−ＣＨ2−ＣＨ（ＯＸ）−Ｒ1、ＮＲ1、Ｎ−Ｃ（Ｏ）Ｒ1、ＳＯ2］又は式ＩＸａ：
0004020961.tif 000011
の化合物
又は２，２′−メチレン−ビス−（１，３−ジオキソラン−５−メチレン）−
又はアセタール、殊に、ジアルデヒド及びジ−、オリゴ−又はポリオールからなるジアセタール、
［ここで、Ｒ1は、１〜２２個の炭素原子を有する炭化水素基を表し、かつＸは、１個の官能基を有し、下記の意味を有する置換基である］；
◆式Ｘ：
0004020961.tif 000012
［ｍ＝１〜４、ｎ＝２〜４、ｐ＝１〜２０、有利に、ｐ＝１〜４かつｑ＝１〜４、その際、混合アルコキシド単位も現れてよく、かつアルコキシド単位の順序も、任意である］の化合物；
◆式ＸＩ：
0004020961.tif 000013
又は式ＸＩＩ：
0004020961.tif 000014
又は式ＸＩＩＩ：
0004020961.tif 000015
又は式ＸＩＶ：
0004020961.tif 000016
又は式ＸＶ：
0004020961.tif 000017
［ｒ＝２〜４、ｓ＝２〜４、ｔ＝１〜２０、有利にｔ＝１〜４、ｕ＝２〜４、ｖ＝０〜１２、ｗ＝１〜６、ｘ＝６かつｙ＝４又はｘ＝１０及びｙ＝６又はｘ＝１４及びｙ＝８、Ｒは、同様に相互に無関係に、Ｈ又はＣ1〜Ｃ6−アルキル］の化合物の意味を有する。
Ｘ及びＹは、相互に無関係に、式ＸＶＩ：
0004020961.tif 000018
［α＝０〜５０、有利にα＝１０〜３０、
β＝０〜６０、有利にβ＝２０〜４０、
かつα＋β＝１〜１００、有利にα＋β＝１０〜５０
その際、アルコキシド単位が、統計的に、又はブロックで組み込まれており、かつ順序は任意である］の置換基、
又は式ＸＶＩＩ：
0004020961.tif 000019
［それぞれ、γ＝０〜２０、有利にγ＝０〜８、
δ＝０〜２０、有利にδ＝０〜１２、
かつγ＋δ＝１〜４０、有利にγ＋δ＝５〜２０、
その際、ＦＲは、官能基：−ＣＨ2−ＣＯＯＭ、−ＳＯ3Ｍ、−Ｐ（Ｏ（ＯＭ）2、−Ｃ2Ｈ4−ＳＯ3Ｍ又は
−Ｏ−Ｃ（Ｏ）−Ｃ2Ｈ3（ＳＯ3Ｍ）−ＣＯ2Ｍ′
［Ｍ、Ｍ′＝アルカリ、アンモニウム、アルカノールアンモニウム又は１／２アルカリ土類］である］の置換基又は式ＸＶＩＩＩ：
0004020961.tif 000020
［ｚ＝３〜６、有利にｚ＝４、かつ
εもしくはμ＝０〜３０、有利にεもしくはμ＝０〜１０、かつ
ηもしくはρ＝０〜３０、有利にηもしくはρ＝０〜１０、
その際、アルコキシド単位は、統計的にも、又はブロックでも、組み込まれており、かつ順序は任意である］の置換基である。
アルコキシル化度は、それぞれ平均値であり、かついずれの任意で、更に、整数でない値も、記載の範囲内で含まれる
本発明の両親媒性化合物の多くは、極めて低い臨界ミセル形成濃度（ＣＭＣ）及び非常に低い表面張力及び界面張力（例えば、パラフィンに対して）において際立っており、このことは、その特別な構造、即ち、少なくとも２つの親水基及び少なくとも２つの疎水基に起因するはずである。更に、その多くが、慣用の界面活性剤とトリポリリン酸五ナトリウムとのほぼ中間のかなり高い親水懸濁能を有する。これらの化合物の数種は、極めて迅速な湿潤剤である。
本発明の両親媒性化合物は、殊に、乳化剤、解乳化剤、清浄剤、分散剤及び水溶化剤（Hydrotropica）として、工業で、かつ家事で、例えば、金属処理、鉱石取得、表面仕上げ、洗濯及び洗浄、化粧品、薬剤及び食品加工及び食品調製の分野で好適である。
この場合、それを、全ての慣用のアニオン性、非イオン性、カチオン性及び両親媒性界面活性物質と組み合わせることができる。組み合わせに使用可能な非イオン性界面活性物質の例としては、脂肪酸グリセリド、脂肪酸ポリグリセリド、脂肪酸エステル、高級アルコールのエトキシレート、ポリオキシエチレン脂肪酸グリセリド、ポリオキシエチレンプロピレングリコール脂肪酸エステル、ポリオキシエチレンソルビタン脂肪酸エステル、ポリオキシエチレン−ヒマシ油又は硬化ヒマシ油−誘導体、ポリオキシエチレンラノリン誘導体、ポリオキシエチレン脂肪酸アミド、ポリオキシエチレンアルキルアミン、アルカノールアミン、アルキル−アミンオキシド、タンパク質加水分解物の誘導体、ヒドロキシ混合エーテル、アルキルポリグリコシド及びアルキルグルカミドを、挙げることができる。
組み合わせて使用可能なアニオン性界面活性物質の例としては、セッケン、エーテルカルボン酸及びその塩、アルキルスルホン酸塩、α−オレフィンスルホン−酸塩、高級脂肪酸エステルのスルホン酸塩、高級アルコール硫酸塩、アルコールエーテル硫酸塩、ヒドロキシ混合エーテル硫酸塩、リン酸エステルの塩、タウリド（Tauride）、イセチオネート、線状アルキルベンゼンスルホネート、クメンスルホネート、アルキルアリールスルホネート、ポリオキシエチレン脂肪酸アミドの硫酸塩、アシルアミノ酸の塩を挙げることができる。
組み合わせて使用可能な慣用のカチオン性界面活性物質の例としては、アルキルトリメチルアンモニウム塩、ジアルキルジメチルアンモニウム塩、アルキルジメチルベンジルアンモニウム塩、アルキルピリジニウム塩、アルキルイソキノリニウム塩、塩化ベンゼトニウム及びカチオン性アシルアミノ酸誘導体を挙げることができる。
組み合わせて使用可能な両親媒性界面活性物質の例としては、アミノ酸、ベタイン、スルホベタイン、イミダゾリン誘導体、大豆油脂質及びレシチンを挙げることができる。
更に、本発明の両親媒性化合物自体を、相互に組み合わせることもできる。
本発明の両親媒性化合物に、慣用の添加剤を添加することもできる。このような添加物を、特に、処方のために選択し、かつそれには、通常、無機塩、例えば、塩化ナトリウム及び硫酸ナトリウム並びにビルダー、水溶化剤、ＵＶ−吸収剤、軟化剤、キレート形成剤、粘度変性剤及び香料が含まれる。
前記の化合物は、ジ−、オリゴ−又はポリオール及び当量の少なくとも２倍のα−エポキシドから、触媒の存在下に製造することができる。その際、触媒は、塩基性又は酸性物質の群、例えば、アルカリアルコラート、アルミノケイ酸塩、層状ケイ酸塩、酸化アルミニウム、ボルトリフルオリドエーテレート、塩化アルミニウム、ニオブ酸、ＨＹ−ゼオライト及びアルカリ金属に由来してよい。反応は、未置換の側のエポキシドの開環に関して完全な選択性を伴っては進行せず、そのため、１級及び２級ジ−、オリゴ−又はポリオールの混合物が、中間体として生ずる。液体又は低い温度で軟化する生成物又はそのアルコキシレートを、引き続き、三酸化イオウ／不活性ガス、オレウム、クロルスルホン酸又はアミドスルホン酸と、ポリリン酸と、ハロゲン酢酸と、スルトンと、タウリンと、又は無水マレイン酸と、かつ亜硫酸水素ナトリウムと反応させ、水性アルカリ金属酸化物又はアルカリ土類金属水酸化物又は水性アンモニア又はアルカノールアミンで中和することができる。必要に応じて、この生成物を、過酸化水素を有する水溶液（固体に対して、０．１〜２．０％）中で、漂白する。
例
次の例で、本発明を詳述する。しかし、これは、本発明を制限するものではない。
例１：
0004020961.tif 000021
撹拌機、温度計、保護ガス接続及び還流冷却機を備えた２５０ｍｌ−三頸フラスコ中に、エチレングリコール５３．１ｇ及びナトリウムメタノレート１．０重量％（エポキシドに対して）を予め装入し、この混合物を、撹拌可能になるまで加温し、かつ１，２−エポキシオクタン２２９．８ｇを添加する。次いで、反応混合物を１８０℃に加温すると、反応は、６時間の後に終了する（エポキシドは、ＧＣによると完全に反応）。炭酸水素ナトリウム溶液を用いて洗浄し、かつ生成物異性体混合物を、１３０〜１４５℃（０．１ミリバール）で蒸留する。収量：１４９．４ｇ（８０％）、純度（ＧＣによる）＞９５％。
硫酸塩化：
クロルスルホン酸６１．３ｇ及び酢酸３１．８ｇからなる混合物に、ジクロルメタン２００ｍｌ中の前記で得られたジオール４９．６ｇを、温度が５℃を越えないように滴加する。引き続き、室温で３時間撹拌する（薄層クロマトグラフィーでの検査によると、ジオール混合物が完全に反応）。２規定の炭酸ナトリウム溶液で中和し、かつ飽和炭酸水素ナトリウム溶液で希釈する。ｎ−ブタノールで生成物を抽出し、引き続きアルコールを除去する。純度検査を、薄層クロマトグフフィー及びＮＭＲにより行う。収量：７０．３ｇ（理論量の８０％）、純度：９０％（異性体混合物）。
同定13Ｃ−ＮＭＲデータ（ＤＭＳＯ−Ｄ6）：
７６．３ｐｐｍ、７２．１ｐｐｍ、７３．０ｐｐｍ、７１．６ｐｐｍ、６９．９ｐｐｍ、６９．４ｐｐｍ、３０．６ｐｐｍ、２８．６ｐｐｍ、２８．４ｐｐｍ、２５．０ｐｐｍ、２１．４ｐｐｍ、２０．３ｐｐｍ、２０．２ｐｐｍ、１３．３ｐｐｍ。
ＣＭＣ（ＶＥ−水中、２０℃）：５．５ｇ／ｌ、γCMC：３０．５ｍＮ／ｍ（ＶＥ−水、２０℃）。
例２：
0004020961.tif 000022
撹拌機、温度計、保護ガス接続及び還流冷却機を備えた２５０ｍｌ−三頸フラスコ中に、ジエチレングリコール２１．４ｇ及びＡｌ2Ｏ3３．０重量％（エポキシドに対して）を予め装入し、この混合物を、撹拌可能になるまで加温し、かつ１，２−エポキシドデカン８２．４ｇを添加する。次いで、反応混合物を１８０℃に加温すると、反応は、８時間の後に終了する（エポキシドは、ＧＣによると完全に反応）。炭酸水素ナトリウム溶液を用いて洗浄する。収量：６１．９ｇ（５２％）、純度（ＧＣによる）＞９５％、異性対比：２級ジオール対１級ジオール（Ｒ′及びＯＸもしくはＲ2及びＯＹが、部分的に交換）：８０：２０。
硫酸塩化：
クロルスルホン酸４７．１ｇ及び酢酸２４．１ｇからなる混合物に、ジクロルメタン２００ｍｌ中の前記で得られたジオール４９．６ｇを、温度が５℃を越えないように滴加する。引き続き、室温で３時間撹拌する（薄層クロマトグラフィーでの検査によると、ジオール混合物が完全に反応）。２規定の炭酸ナトリウム溶液で中和し、かつ飽和炭酸水素ナトリウム溶液で希釈する。ｎ−ブタノールで生成物を抽出し、引き続きアルコールを除去する。純度検査を、薄層クロマトグラフィー及びＮＭＲにより行う。終了：５６．７ｇ（理論量の８０％）、純度：９０％（異性体混合物）。
同定13Ｃ−ＮＭＲデータ（ＤＭＳＯ−Ｄ6）：
８０．７ｐｐｍ、８０．３ｐｐｍ、７３．７ｐｐｍ、７２．５ｐｐｍ、７２．３ｐｐｍ、７２．１ｐｐｍ、７１．１ｐｐｍ、６９．８ｐｐｍ（両異性体）、３４．１ｐｐｍ、３３．５ｐｐｍ、３２．０ｐｐｍ、３１．８ｐｐｍ、３１．６ｐｐｍ、２４．８ｐｐｍ、１６．０ｐｐｍ。
ＣＭＣ（ＶＥ−水中、２０℃）：０．２ｇ／ｌ、γCMC：３３．０ｍＮ／ｍ（ＶＥ−水、２０℃）、γパラフィン：２．５ｍＮ／ｍ（飲料水、２０℃、０．１ｇ／ｌＷＡＳ）。
例３：
0004020961.tif 000023
撹拌機、温度計、保護ガス接続及び還流冷却機を備えた２５０ｍｌ−三頸フラスコ中に、１，４−ブタンジオール１８．１ｇ及びＡｌ2Ｏ3３．０重量％（エポキシドに対して）を予め装入し、この混合物を、撹拌可能になるまで加温し、かつ１，２−エポキシドデカン８３．９ｇを添加する。次いで、反応混合物を１８０℃に加温すると、反応は、１０時間の後に終了する（エポキシドは、ＧＣによると完全に反応）。炭酸水素ナトリウム溶液を用いて洗浄する。収量：７０．６ｇ（５０％）、純度（ＧＣによる）＞９５％、異性対比：２級ジオール対１級ジオール：９０：１０。
硫酸塩化：
クロルスルホン酸３８．８ｇ及び酢酸１９．９ｇからなる混合物に、ジクロルメタン２００ｍｌ中の前記で得られたジオール６２．２ｇを、温度が５℃を越えないように滴加する。引き続き、室温で３時間撹拌する（薄層クロマトグラフィーでの検査によると、ジオール混合物は完全に反応）。２規定の炭酸ナトリウム溶液で中和し、かつ飽和炭酸水素ナトリウム溶液で希釈する。ｎ−ブタノールで生成物を抽出し、引き続きアルコールを除去する。純度検査を、薄層クロマトグラフィー及びＮＭＲにより行う。収量：３９．９ｇ（理論量の６０％）、純度：９０％（異性体混合物）。
同定13Ｃ−ＮＭＲデータ（ＤＭＳＯ−Ｄ6）：
７８．２ｐｐｍ、７４．６ｐｐｍ、７４．２ｐｐｍ、７２．０ｐｐｍ、６９．８ｐｐｍ（breit）、６７．３ｐｐｍ（両異性体）、３０．８ｐｐｍ、２８．５ｐｐｍ、２８．２ｐｐｍ、２１．５ｐｐｍ、１３．１ｐｐｍ。
ＣＭＣ（ＶＥ−水中、２０℃）：０．００５８ｇ／ｌ、γCMC：３０．０ｍＮ／ｍ（飲料水、２０℃）、γパラフィン：２．０ｍＮ／ｍ（飲料水、２０℃、０．１ｇ／ｌＷＡＳ）。